(57)【要約】  通信ネットワークにおいて第１周波数でサービスを確立するための方法であって、第１周波数はサービスを支援しないか、または限定的にサービスを支援し、方法は、確立されるべきサービスを決定するステップと、サービスが第２周波数で進行されるように、サービスに適した第２周波数を再選択またはリダイレクトするステップとを含む。通信ネットワークにおいて第１周波数でサービスを確立するために、ユーザデバイスおよびネットワークデバイスが用いられ、第１周波数はサービスを支援しないか、または限定的にサービスを支援する。非ＭＢＭＳサービスが標準周波数で進行されるように、非ＭＢＭＳサービスがＭＢＭＳ専用周波数で確立されることが好ましい。
2009534959.tif 000002
【特許請求の範囲】
【請求項１】
通信ネットワークにおいて第１周波数でサービスを確立する方法であって、前記第１周波数が前記サービスを支援しないか、または限定的に支援し、前記方法が、
確立されるべき前記サービスを決定するステップと、
第２周波数で前記サービスを実行するように、前記サービスに適した前記第２周波数に再選択するか、または前記サービスに適した前記第２周波数にリダイレクトするステップとを含む、方法。
【請求項２】
前記通信ネットワークがユーザ機器を備え、前記サービスが前記ユーザ機器から始まる場合、前記ユーザ機器が再選択プロセスを開始して、前記サービスに適した第２周波数に再選択する、請求項１に記載の方法。
【請求項３】
前記通信ネットワークがネットワーク装置を備え、前記ネットワーク装置が前記第１周波数でユーザ機器によって送られた前記サービスを確立する要求メッセージを受け取る場合、前記ネットワーク装置が、前記第１周波数から前記第２周波数に前記ユーザ機器をリダイレクトするように、リダイレクトプロセスを開始する、請求項１に記載の方法。
【請求項４】
前記通信ネットワークが無線携帯型通信ネットワークを備え、前記無線携帯型通信ネットワークが関連の３ＧＰＰ規格に従う、請求項１に記載の方法。
【請求項５】
前記通信ネットワークがユーザ機器を備え、前記ユーザ機器がアイドルモードである場合、前記ユーザ機器が、前記第１周波数から前記第２周波数に再選択するように、セル再選択プロセスを開始する、請求項４に記載の方法。
【請求項６】
前記通信ネットワークがユーザ機器を備え、前記ユーザ機器がＣＥＬＬ−ＦＡＣＨ、ＣＥＬＬ−ＰＣＨ、またはＵＲＡ−ＰＣＨ状態である場合、前記ユーザ機器が、前記第１周波数から前記第２周波数に再選択するように、セル更新プロセスを開始する、請求項４に記載の方法。
【請求項７】
前記通信ネットワークがネットワーク装置を備え、前記ネットワーク装置がユーザ機器がＣＥＬＬ−ＤＣＨ状態であることを知ると、前記ネットワーク装置が、前記第１周波数から前記第２周波数に前記ユーザ機器をリダイレクトするように、セルハンドオーバープロセスを開始する、請求項４に記載の方法。
【請求項８】
前記第１周波数がマルチメディアブロードキャストマルチキャストサービスを支援する、請求項１〜７のいずれか一項に記載の方法。
【請求項９】
通信ネットワークにおいて第１周波数でサービスを確立するユーザ機器であって、前記第１周波数が前記サービスを支援しないか、または限定的に支援し、前記ユーザ機器が、
確立されるべき前記サービスを決定する手段と、
前記サービスを第２周波数で実行するように、前記サービスに適した前記第２周波数に再選択する手段とを備える、ユーザ機器。
【請求項１０】
前記サービスが前記ユーザ機器から起こる場合、再選択手段が再選択プロセスを開始して、前記サービスに適した第２周波数に再選択する、請求項９に記載のユーザ機器。
【請求項１１】
前記通信ネットワークが無線携帯型通信ネットワークを備え、前記無線携帯型通信ネットワークが関連の３ＧＰＰ規格に従う、請求項９に記載のユーザ機器。
【請求項１２】
前記ユーザ機器がアイドルモードである場合、前記再選択手段が、前記第１周波数から前記第２周波数に再選択するように、セル再選択プロセスを開始する、請求項１１に記載のユーザ機器。
【請求項１３】
前記ユーザ機器がＣＥＬＬ−ＦＡＣＨ、ＣＥＬＬ−ＰＣＨ、またはＵＲＡ−ＰＣＨ状態である場合、前記再選択手段が、前記第１周波数から前記第２周波数に再選択するように、セル更新プロセスを開始する、請求項１１に記載のユーザ機器。
【請求項１４】
前記第１周波数がマルチメディアブロードキャストマルチキャストサービスを支援する、請求項９〜１３のいずれか一項に記載のユーザ機器。
【請求項１５】
通信ネットワークにおいて第１周波数でサービスを確立するネットワーク装置であって、前記第１周波数が前記サービスを支援しないか、または限定的に支援し、前記ネットワーク装置が、
ユーザ機器によって確立されるべき前記サービスを決定する手段と、
前記サービスを第２周波数で実行するように、前記第１周波数から前記サービスに適した前記第２周波数に前記ユーザ機器をリダイレクトする手段とを備える、ネットワーク装置。
【請求項１６】
前記ネットワーク装置が前記第１周波数で前記ユーザ機器によって送られた前記サービスを確立する要求メッセージを受け取る場合、前記リダイレクト手段が、前記第１周波数から前記サービスに適した第２周波数に前記ユーザ機器をリダイレクトして、これにより、前記サービスを前記第２周波数で実行するように、リダイレクトプロセスを開始する、請求項１５に記載のネットワーク装置。
【請求項１７】
前記通信ネットワークが無線携帯型通信ネットワークを備え、前記無線携帯型通信ネットワークが関連の３ＧＰＰ規格に従う、請求項１５に記載のネットワーク装置。
【請求項１８】
前記ネットワーク装置が前記ユーザ機器がＣＥＬＬ−ＤＣＨ状態であることを知ると、前記リダイレクト手段が、前記第１周波数から前記第２周波数に前記ユーザ機器をリダイレクトするように、セルハンドオーバープロセスを開始する、請求項１７に記載のネットワーク装置。
【請求項１９】
前記ネットワーク装置が無線リソースコントローラに含まれる、請求項１７に記載のネットワーク装置。
【請求項２０】
前記第１周波数がマルチメディアブロードキャストマルチキャストサービスを支援する、請求項１５〜１９のいずれか一項に記載のネットワーク装置。
【発明の詳細な説明】
【技術分野】
【０００１】
本発明は通信分野に関し、更に具体的には、第１周波数でサービスを確立する方法および装置に関するものであり、第１周波数はサービスを支援しないか、または限定的に支援する。
【背景技術】
【０００２】
多数の無線リソースを占有するマルチメディアブロードキャストマルチキャストサービス（ＭＢＭＳ）のようなサービスを支援する無線通信システムにおいて、無線リソースを節約するための典型的な解決策は専用の周波数をＭＢＭＳサービスに割り当てることである。
【０００３】
ＭＢＭＳサービスはブロードキャスト性であり、他のサービス、例えば双方向サービスよりも、非常に多くのユーザをある周波数で支援し得る。しかし、他の種類のサービスにとって、専用周波数のための容量は極めて制限される。したがって、専用周波数におけるユーザ機器が他の種類のサービスを開始する場合、システムは支援することが不可能になり、混雑が生じる。このため、典型的には、ＭＳＭＳ専用の周波数はＭＢＭＳサービスを支援するだけであるが、非ＭＢＭＳサービスを支援しないか、または限定的に非ＭＢＭＳサービス（例えば、データサービス）を支援する。
【０００４】
関連する３ＧＰＰ規格によれば、ＭＢＭＳサービスが開始される前に、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ（ＵＴＲＡＮ）は、周波数レイヤ収束（ＦＬＣ）技術を用いて、ＭＢＭＳサービスに関心のあるユーザ機器（ＵＥ）をＭＢＭＳ専用周波数に対して再選択する。
【０００５】
ＭＢＭＳサービスが終了すると、ＵＴＲＡＮは周波数レイヤ分散（ＦＬＤ）技術を用いて、周波数レイヤ分散を表すメッセージを送信することによって、ＵＥを別の周波数（すなわち非ＭＢＭＳサービスを支援する標準周波数）に分散させる。
【０００６】
ＭＢＭＳサービスが進行中のとき、ＭＢＭＳ専用周波数は非ＭＢＭＳサービス（例えば、音声呼）を支援しないので、ＵＥはＭＢＭＳ専用周波数で発呼または着呼非ＭＢＭＳサービスを実行することができない。ここで、発呼サービスとは非ＭＢＭＳサービスがＵＥから始まることを示し、着呼サービスとは非ＭＢＭＳサービスがＵＥにて終了することを示すものである。
【発明の開示】
【発明が解決しようとする課題】
【０００７】
本発明の目的は、先行技術における上記技術上の問題を克服することのできる解決策を提供することにあり、これにより、第１周波数でサービスを確立することが可能となる。ここで、第１周波数は、サービスを支援する周波数でサービスを実行するように、そのサービスを支援しないか、または限定的に支援するものである。
【０００８】
本発明の別の目的は、非ＭＢＭＳサービスを標準周波数で実行するように、非ＭＢＭＳサービスをＭＢＭＳ専用周波数で確立することができるようにすることにある。
【課題を解決するための手段】
【０００９】
本発明の一態様によれば、通信ネットワークにおいて第１周波数でサービスを確立する方法が提供される。ここで、第１周波数はそのサービスを支援しないか、または限定的に支援するものであり、この方法は、確立されるべきサービスを決定するステップと、第２周波数でサービスを実行するように、サービスに適した第２周波数を再選択するか、またはこの第２周波数にリダイレクトするステップとを含む。
【００１０】
本発明の別の態様によれば、通信ネットワークにおいて第１周波数でサービスを確立するユーザ機器が提供される。ここで、第１周波数はそのサービスを支援しないか、または限定的に支援するものであり、ユーザ機器は確立されるべきサービスを決定する手段と、第２周波数でサービスを実行するように、サービスに適した第２周波数に再選択する手段とを備える。
【００１１】
本発明の更なる態様によれば、通信ネットワークにおいて第１周波数でサービスを確立する確立するネットワーク装置が提供される。ここで、第１周波数はそのサービスを支援しないか、または限定的に支援するものであり、ネットワーク装置はユーザ機器によって確立されるべきサービスを決定する手段と、第２周波数でサービスを実行するように、第１周波数からサービスに適した第２周波数にユーザ機器をリダイレクトする手段とを備える。
【００１２】
本発明によれば、第１周波数でサービスを確立することが可能である。ここで、第１周波数は、サービスを支援する周波数でサービスを実行するように、そのサービスを支援しないか、または限定的に支援するものである。
【００１３】
更に本発明によれば、標準周波数で非ＭＢＭＳサービスを実行するように、ＭＢＭＳ専用周波数で非ＭＢＭＳサービスを確立することが可能である。
【００１４】
このように、ユーザはより多くの選択肢を有することができる。例えば、非ＭＢＭＳサービスがＭＢＭＳサービスよりも重要である場合、ユーザはＭＢＭＳサービスから非ＭＢＭＳサービスへハンドオーバーすることができる。
【００１５】
本発明の他の目的および効果は、添付図面と共に以下の説明からより明白になり、分かり易くなる。
【００１６】
すべての添付図面において、同様の参照番号は同じ、類似する、または相当する特徴または機能を図面を通して示している。
【発明を実施するための最良の形態】
【００１７】
本発明は、通信ネットワークにおいて第１周波数（ＭＢＭＳ専用周波数）でサービス（非ＭＢＭＳサービス）を確立するための解決策を提供する。ここで、第１周波数はそのサービスを支援しないか、または限定的に支援するものである。本発明の基本的な考え方は、確立されるべきサービスを決定し、第２周波数でサービスを実行するように、サービスに適した第２周波数（標準周波数）を再選択するか、またはこの第２周波数にリダイレクトすることにある。
【００１８】
以下、本発明の好適な実施形態をＭＢＭＳサービスと共に一例として詳細に説明する。
【００１９】
図１は本発明を実施可能な通信ネットワークの図を示す。図１に示すように、通信ネットワーク１００は３つの部分、すなわち、コアネットワーク１１０、ＵＴＲＡＮ１２０、およびＵＥ１３０を備える。ＵＴＲＡＮ１２０は１つまたは複数の無線ネットワークサブシステム（ＲＮＳ）１２２ａ、１２２ｂを含む。このＲＮＳは各々、無線ネットワークコントローラ（ＲＮＣ）１２４ａ、１２４ｂおよびノードＢ（または基地局）１２６ａ、１２６ｂ、１２６ｃ、１２６ｄを更に含む。
【００２０】
コアネットワーク１１０は、通信ネットワーク１００内部で音声呼またはデータ接続の外部ネットワークとの交換およびルーティングを取り扱い、無線ネットワークサブシステム１２２ａ、１２２ｂは無線に関連するあらゆる機能を取り扱う。
【００２１】
ＲＮＣ１２４ａ、１２４ｂはインタフェース１（例えば、Ｉｕインタフェース）を介してコアネットワーク１１０に接続されている。ノードＢはインタフェース３（例えば、Ｉｕｂインタフェース）を介してＲＮＣに接続されている。ＲＮＣはインタフェース２（例えば、Ｉｕｒインタフェース）を介して相互に接続されている。ＵＥ１３０は無線インタフェース４（例えば、Ｕｕインタフェース）を介してネットワーク装置（例えば、ノードＢ１２６ａ）と相互作用する。
【００２２】
関連する３ＧＰＰ規格に従って、ＵＥは異なる無線リソースコントロール（ＲＲＣ）モードおよび状態を有する。具体的に言うと、ＵＥは２種類のモード：アイドルモードおよびＵＴＲＡＮ接続モードを有する。この接続モードは４種類の状態：ＵＲＡ−ＰＣＨ、ＣＥＬＬ−ＰＣＨ、ＣＥＬＬ−ＦＡＣＨ、およびＣＥＬＬ−ＤＣＨに更に分割される。当業者には上記モードおよび状態は知られているので、ここでは簡潔にするために、それを更に説明することは省略する。
【００２３】
本発明の実施形態によれば、異なるシナリオ（例えば、非ＭＢＭＳサービスがＵＥから始まるのか、ＵＥで終了するのかどうか、およびＵＥのＲＲＣモードおよび状態から始まるのか、ＵＥのＲＲＣモードおよび状態で終了するのかどうか）に関して、異なる解決策が提供される。
【００２４】
以下、異なるシナリオおよびその解決策を１つずつ説明する。以下の実施形態において２種類の周波数が用いられると仮定すると、一方の周波数（第１周波数）はＭＢＭＳサービス専用であり、ＭＢＭＳサービスを支援するだけであるか、または限定的に非ＭＢＭＳサービスを支援し（例えば、データサービスまたはある種の閾値下にあるネットワークリソースの占有だけを支援する）、他方の周波数（第２周波数）は標準周波数であり、非ＭＢＭＳサービスを支援する。
【００２５】
シナリオ１：
ＵＥは非ＭＢＭＳサービス、例えば音声呼をＭＢＭＳ専用周波数で呼び出す。すなわち、非ＭＢＭＳサービスはＵＥから始まる。ＵＥがそのユーザによって入力された（例えば、ユーザは番号ボタンを押すことによって電話番号を入力し、コールキーを押す）対応する命令を受け取ると、ＵＥはそこから始まる実行すべき非ＭＢＭＳサービスを決定することができる。
【００２６】
このシナリオに関して、ＭＢＭＳ専用周波数で非ＭＢＭＳサービスを確立するための２つの解決策が存在し得る。
【００２７】
図２は、関連する３ＧＰＰ規格によるアイドルモードでＵＥから始まる呼を確立する典型的な呼フロー図を示す。この呼確立のフローは、コアネットワーク（例えば、コアネットワーク１１０）、サービングＲＮＣ（例えば、ＲＮＣ１２４ａ）、ノードＢ（例えば、ノードＢ１２６ａ）、およびＵＥ（例えば、ＵＥ１３０）を含む。呼は、例えば、音声呼、データ呼、等であり得る。呼確立はＭＢＭＳ専用周波数または標準周波数で実行され得る。
【００２８】
図２に示す呼確立プロセスは、次の順序のステップを含む。ＵＥはＲＲＣ接続要求メッセージをサービングＲＮＣに送る（ステップＳ１１１１）。無線リンクがサービングＲＮＣとノードＢとの間に確立される（ステップＳ１１１２）。サービングＲＮＣがＲＲＣ接続確立メッセージをＵＥに送る（ステップＳ１１１３）。ＵＥがＲＲＣ接続要求完了メッセージをサービングＲＮＣに送る（ステップＳ１１１４）。ＵＥが初回直接転送メッセージをサービングＲＮＣ（ステップＳ１１１５）に送る。サービングＲＮＣが初回ＵＥメッセージ（ＣＭサービス要求）をコアネットワークに送る（ステップＳ１１１６）。コアネットワークが直接転送メッセージ（ＣＭサービス承認）をサービングＲＮＣに送る（ステップＳ１１１７）。サービングＲＮＣがダウンリンク直接転送メッセージをＵＥに送る（ステップＳ１１１８）。ＵＥがアップリンク直接転送メッセージをサービングＲＮＣ（ステップＳ１１１９）に送る。サービングＲＮＣが直接転送メッセージ（確立）をコアネットワーク（ステップＳ１１２０）に送る。コアネットワークがＲＡＢ割当要求メッセージ（呼進行）をサービングＲＮＣ（ステップＳ１１２１）に送る。そして、ＲＢ確立がサービングＲＮＣとＵＥとの間で実行される（ステップＳ１１２２）。当業者には図２に示した上記ステップは知られているので、ここでは簡潔にするために、それを更に説明することは省略する。
【００２９】
解決策１：
非ＭＢＭＳサービスを呼び出す前に、ＵＥはセル再選択プロセスを開始する。
【００３０】
図３は解決策１に対応するアイドルモードでＵＥから始まる呼の呼確立フロー図を示す。当業者は図３が本発明の実施形態に関連する呼確立フローを部分的に示しているに過ぎないことを理解することができ、残りのステップは図２を参照されたい。
【００３１】
この状況においては、ＵＥはサービス優先順位差別化プロセスを上層によって実行し得る。
【００３２】
例えば、非ＭＢＭＳサービスがＭＢＭＳサービスよりも高い優先順位レベルを有している場合、ＵＥはセル再選択プロセスを開始して、非ＭＢＭＳサービスに好ましい周波数に再選択する（ステップＳ１１１０）。
【００３３】
次いで、標準周波数、すなわち非ＭＢＭＳサービスを支援する周波数においては、ＵＥは非ＭＢＭＳサービス確立プロセスを開始する（例えば、ＲＲＣ接続要求メッセージをＵＴＲＡＮに送る）（ステップＳ１１１１）。
【００３４】
この状況下では、ＵＥの挙動はＵＥの実施に依存する。
【００３５】
しかし、ＵＥがポイントツーポイント（Ｐ２Ｐ）無線ベアラ（ＲＢ）を介してＭＢＭＳサービスを受け取る場合（ＵＥはＣＥＬＬ−ＤＣＨ状態またはＣＥＬＬ−ＦＡＣＨ状態であり得る）、ＵＥは最初にＭＢＭＳ  ＭＯＤＩＦＩＣＡＴＩＯＮ  ＲＥＱＵＥＳＴメッセージを使用して、ＭＢＭＳサービスを終了することをＵＴＲＡＮに要求し得ることに留意されたい（図示せず）。すなわち、セル再選択プロセスが開始されて、非ＭＢＭＳ周波数に好ましい周波数に再選択される前に、ＵＥはＭＢＭＳサービスを終了することをＵＴＲＡＮに要求する。
【００３６】
解決策２：
ＵＥが非ＭＢＭＳサービスを確立することを要求すると（例えば、ＲＲＣ接続要求メッセージをＵＴＲＡＮに送ると）、ＵＴＲＡＮはリダイレクトプロセスを開始して、ＵＥを標準周波数にリダイレクトする。
【００３７】
具体的に言うと、ＵＥがＭＢＭＳ専用周波数で非ＭＢＭＳサービスを確立することを要求すると（ステップＳ１１１１）、ＵＴＲＡＮはＭＢＭＳ専用周波数から非ＭＢＭＳサービスを支援する標準周波数にＵＥをリダイレクトする（ステップＳ１１１２およびステップ１１１３）。あるいは、ＵＴＲＡＮがコアネットワークからＲＡＢ割当要求メッセージを受け取ると（ステップＳ１１２１）、ＵＴＲＡＮはステップＳ１１２２においてＲＢを標準周波数にリダイレクトする。すなわち、解決策１とは異なり、解決策２においては、非ＭＢＭＳサービスに関連する呼がＵＥから始まる場合であっても、ＵＥは、まずＭＢＭＳ専用周波数で非ＭＢＭＳサービスを確立することをＵＴＲＡＮに要求する。上記シナリオは以下の文脈においても説明される。
【００３８】
結論：
シナリオ１では、解決策１はシグナリング過負荷の問題を引き起こさないので、解決策１は解決策２よりも好ましい。しかし、ＭＢＭＳ専用周波数が限定的に非ＭＢＭＳサービスを支援する場合、解決策２が補助的解決策として機能し得る。
【００３９】
シナリオ２：
非ＭＢＭＳサービスは、ＭＢＭＳ専用周波数およびアイドルモードで、ＵＥで終了する。
【００４０】
このシナリオに関して、ＭＢＭＳ専用周波数で非ＭＢＭＳサービスを確立するための３つの解決策が存在し得る。
【００４１】
図４は関連する３ＧＰＰ規格によるアイドルモードでＵＥで終了する呼を確立する典型的なフロー図を示す。この呼確立フローは、コアネットワーク（例えば、コアネットワーク１１０）、サービングＲＮＣ（例えば、ＲＮＣ１２４ａ）、ノードＢ（例えば、ノードＢ１２６ａ）、およびＵＥ（例えば、ＵＥ１３０）を含む。呼は、例えば、音声呼、データ呼、等であり得る。呼確立はＭＢＭＳ専用周波数または標準周波数で実行され得る。
【００４２】
図４に示す呼確立プロセスは、次の順序のステップを含む。コアネットワークがページングメッセージをサービングＲＮＣ（ステップＳ２１１１）に送る。サービングＲＮＣがページングタイプ１メッセージをＵＥに送る（ステップＳ２１１２）。ＵＥがＲＲＣ接続要求メッセージをサービングＲＮＣに送る（ステップＳ２１１３）。無線リンクがサービングＲＮＣとノードＢとの間に確立される（ステップＳ２１１４）。サービングＲＮＣがＲＲＣ接続確立メッセージをＵＥに送る（ステップＳ２１１５）。ＵＥがＲＲＣ接続要求完了メッセージをサービングＲＮＣに送る（ステップＳ２１１６）。ＵＥが初回直接転送メッセージをサービングＲＮＣ（ステップＳ２１１７）に送る。サービングＲＮＣが初回ＵＥメッセージ（ページング応答）をコアネットワークに送る（ステップＳ２１１８）。コアネットワークが直接転送メッセージ（確立）をサービングＲＮＣに送る（ステップＳ２１１９）。サービングＲＮＣがダウンリンク直接転送メッセージをＵＥに送る（ステップＳ２１２０）。ＵＥがアップリンク直接転送メッセージをサービングＲＮＣ（ステップＳ２１２１）に送る。サービングＲＮＣが直接転送メッセージ（呼確認）をコアネットワーク（ステップＳ２１２２）に送る。コアネットワークがＲＡＢ割当要求メッセージ（確立）をサービングＲＮＣ（ステップＳ２１２３）に送る。そして、ＲＢ確立プロセスがサービングＲＮＣとＵＥとの間で実行される（ステップＳ２１２４）。
【００４３】
当業者には図４に示した上記ステップは知られているので、ここでは簡潔にするために、それを更に説明することは省略する。
【００４４】
解決策１：
ＵＥはページングメッセージを受け取ると、セル再選択プロセスを開始して、非ＭＢＭＳに好ましい周波数に再選択する。
【００４５】
図５は解決策１に対応するアイドルモードでＵＥで終了する呼の呼確立フロー図を示す。当業者は図５が本発明の実施形態に関連する呼確立フローを部分的に示しているに過ぎないことを理解することができ、残りのステップは図４を参照されたい。
【００４６】
ＵＥはＭＢＭＳ専用周波数でページングタイプ１メッセージ（ＣＥＬＬ−ＦＡＣＨおよびＣＥＬＬ−ＤＣＨ状態においては、メッセージはページングタイプ２メッセージであり、他の状況では、パージングタイプ１メッセージである）をＵＴＲＡＮから受け取る（ステップＳ２１１２）。コアネットワークからＵＥに向けられたページングメッセージを受け取った後（ステップＳ２１１１）、ＵＴＲＡＮはページングタイプ１メッセージをＵＥに送る。
【００４７】
ページングタイプ１メッセージから、ＵＥは非ＭＢＭＳサービス（例えば、音声呼）がそこで終了することを決定する。このため、ＵＥはセル再選択プロセスを開始して、非ＭＢＭＳサービス用の標準周波数に再選択し得る（ステップＳ２００１）。次に、ＵＥがＲＲＣ接続確立メッセージを標準周波数で送る（ステップＳ２１１３）。
【００４８】
上記説明から、ステップＳ２１１２では、ＵＥはＭＢＭＳ専用周波数で働き、他方、ステップＳ２１１３およびそれ以降のステップでは、ＵＥは非ＭＢＭＳサービス用の標準周波数で働き、更に、ステップＳ２００１で、セル再選択プロセスが開始されて、非ＭＢＭＳサービス用の標準周波数に再選択されることが考えられる。
【００４９】
この解決策の利点は、セル再選択プロセスがＵＥによって開始されるので、ＵＴＲＡＮではなく、ＵＥだけが影響を受けること、ＭＢＭＳ専用周波数では、ＭＢＭＳサービスを受け取る数千のＵＥが存在するので、この解決策がシグナリング過負荷を生じないこと（これが重要である）、および更に、この解決策が比較的短い呼遅延を有していることにある。
【００５０】
しかし、この解決策の欠点は、ＵＥが非ＭＢＭＳサービスを後で受け取らないと決定する場合、ＭＢＭＳデータが失われることにある。例えば、ＵＥが電話番号（ＵＥは図４のステップＳ２１２０の後で電話番号を知り得る）に基づいて音声呼を拒否し、ＭＢＭＳ専用周波数に戻る場合、ＭＢＭＳデータが失われる。
【００５１】
解決策２：
ＵＴＲＡＮはＵＥから応答を受け取ると、ＵＴＲＡＮはＭＢＭＳ専用周波数から非ＭＢＭＳサービスを支援する標準周波数にＵＥをリダイレクトする。
【００５２】
図６は解決策２に対応するアイドルモードでＵＥで終了する呼の呼確立フロー図を示す。当業者は図６が本発明の実施形態に関連する呼確立フローを部分的に示しているに過ぎないことを理解することができ、残りのステップは図４を参照されたい。
【００５３】
ＵＥがＵＴＲＡＮからページングタイプ１メッセージをＭＢＭＳ専用周波数で受け取った後、ＵＥはＲＲＣ接続要求メッセージをサービングＲＮＣにＭＢＭＳ専用周波数で送る（ステップＳ２１１３）。サービングＲＮＣがＲＲＣ接続要求メッセージを受け取った後、ＵＥはＲＲＣ接続確立メッセージを用いて、ＭＢＭＳ専用周波数から非ＭＢＭＳサービスを支援する標準周波数にリダイレクトされる（ステップＳ２１１５’）。ここでは、ＲＲＣ接続確立メッセージは、標準周波数で無線リンクを確立することをＵＥに通知するために、ＭＢＭＳ専用周波数で送信される。当然ながら、ステップＳ２１１４’では、無線リンクが対応するノードＢとサービングＲＮＣとの間に標準周波数で確立される。ここでは、ステップＳ２１１４’はステップＳ２１１３とステップＳ２１１５’との間にある。
【００５４】
上記説明から、ステップＳ２１１５’およびそれに先行するステップでは、ＵＥはＭＢＭＳ専用周波数で働き、他方、ステップＳ２１１５’後では、ＵＥは非ＭＢＭＳサービスを支援する標準周波数で働くものと考えられる。
【００５５】
解決策１と比較すると、この解決策の利点はＵＥおよびＵＴＲＡＮが同時に影響を受けることにある。しかし、解決策１と比較するとこの解決策には、シグナリング過負荷を生じ易い、呼遅延を増大する、ＭＢＭＳ専用周波数がシグナリング転送のための物理的ランダムアクセスチャネル（ＰＲＡＣＨ）を用いて構成される必要があるといった欠点がある。
【００５６】
解決策３：
ＵＥはコアネットワークとの非ＭＢＭＳサービス交渉をＭＢＭＳ専用周波数で終了し、ＵＴＲＡＮはサービス無線ベアラ（ＲＢ）を標準周波数にリダイレクトし得る。
【００５７】
図７は解決策３に対応するアイドルモードでＵＥで終了する呼の呼確立フロー図を示す。当業者は図７が本発明の実施形態に関連する呼確立フローを部分的に示しているに過ぎないことを理解することができ、残りのステップは図４を参照されたい。
【００５８】
ＵＥはコアネットワークとの非ＭＢＭＳサービス交渉をＭＢＭＳ専用周波数で終了する（ステップＳ２１１１−Ｓ２１２２）。ＵＥがその呼を確認する場合、コアネットワークは無線アクセスベアラ（ＲＡＢ）割当要求メッセージをＵＴＲＡＮに送り得る（ステップＳ２１２３）。次いで、ＵＴＲＡＮはＭＢＭＳ専用周波数から標準周波数にＲＢをリダイレクトし得る（ステップＳ２１２４’）。このステップ（ステップＳ２１２４’）では、ＲＢが標準周波数で確立される。しかし、ＵＥが呼を終了することを拒否する場合、ステップＳ２１２３およびＳ２１２４’と共に進行することなく、このプロセスは終了する。
【００５９】
上記説明から、ステップＳ２１２４’の前には、ＵＥはＭＢＭＳ専用周波数で常に働いているものと考えられる。
【００６０】
この解決策の利点は、ＵＥが呼を終了することを承認するかどうかを決定することが可能であることであり、これによりＭＢＭＳデータの損失を阻止することができる。
【００６１】
しかし、この解決策には、ＵＥは継続的にＭＢＭＳ専用周波数で働くので、シグナリング過負荷を生じさせ易いこと、ＭＢＭＳ専用周波数はシグナリング転送のためのＰＲＡＣＨを用いて構成されなければならないこと、および呼遅延が増大することという欠点がある。
【００６２】
結論：
上記３つの解決策のうちでは、解決策１が非常に簡単でより安定しているので、好ましい。
【００６３】
シナリオ３：
非ＭＢＭＳサービスは、ＭＢＭＳ専用周波数およびＣＥＬＬ−ＤＣＨ状態でＵＥで終了する。
【００６４】
図８はＭＢＭＳ専用周波数およびＣＥＬＬ−ＤＣＨ状態でＵＥで終了する非ＭＢＭＳサービスの呼確立フロー図を示す。当業者は図８が本発明の実施形態に関連する呼確立フローを部分的に示しているに過ぎないことを理解することができ、残りのステップは図４を参照されたい。
【００６５】
このシナリオにおいては、ＣＥＬＬ−ＤＣＨ状態のＵＥはセル再選択プロセスを実行することができないため、したがって、ＵＴＲＡＮがコアネットワークからＵＥに向けられたページングメッセージを受け取った後（ステップＳ２１１１）、ＵＴＲＡＮはセルハンドオーバープロセスを開始し、ＭＢＭＳ専用周波数から標準周波数にＵＥをハンドオーバーする（ステップＳ２００２）。次いで、ＵＴＲＡＮはページングタイプ２メッセージを標準周波数でＵＥに送る（ステップＳ２１１２）。
【００６６】
上記説明から、ステップＳ２１２２およびそれ以降のステップでは、ＵＥは標準周波数で常に働いているものと考えられる。
【００６７】
また図８からは、セルハンドオーバープロセス（ステップＳ２００２）がＵＥとＵＴＲＡＮとの間の相互作用を含むことが分かる。
【００６８】
シナリオ３に関し、上記解決策が好ましい。しかし、シナリオ２に記載の解決策２または解決策３が採用されてもよい。
【００６９】
シナリオ４：
非ＭＢＭＳサービスは、ＭＢＭＳ専用周波数およびＣＥＬＬ−ＦＡＣＨ、ＣＥＬＬ−ＰＣＨ、またはＵＲＡ−ＰＣＨ状態でＵＥで終了する。
【００７０】
図９はＭＢＭＳ専用周波数およびＣＥＬＬ−ＦＡＣＨ、ＣＥＬＬ−ＰＣＨ、またはＵＲＡ−ＰＣＨ状態でＵＥで終了する非ＭＢＭＳサービスの呼確立フロー図を示す。当業者は図９が本発明の実施形態に関連する呼確立フローを部分的に示しているに過ぎないことを理解することができ、残りのステップは図４を参照されたい。
【００７１】
このシナリオにおいては、ＵＥがこれに向けられたページングタイプ１またはページングタイプ２メッセージをＭＢＭＳ専用周波数で受け取った後（ステップＳ２１１２）、ＭＢＭＳ専用周波数から標準周波数に再選択するようにセル更新プロセスを開始する（ステップＳ２００３）。次に、ＵＥがＲＲＣ接続確立メッセージを標準周波数で送る（ステップＳ２１１３）。
【００７２】
上記説明から、ステップＳ２１１３およびそれ以降のステップでは、ＵＥは標準周波数で常に働いているものと考えられる。
【００７３】
また図９から、セル更新プロセス（ステップＳ２００３）はＵＥとＵＴＲＡＮとの間の相互作用を含むことが分かる。
【００７４】
シナリオ４に関しては、上記解決策が好ましい。しかし、シナリオ２に記載の解決策１、解決策２、または解決策３が採用されてもよい。
【００７５】
以下、本発明の好ましい実施形態が要約されている
１）非ＭＢＭＳサービスがＵＥから始まる場合、ＭＢＭＳ専用周波数から標準周波数に再選択するように、ＵＥはセル再選択プロセスを自発的に開始する。
２）ＵＥがＣＥＬＬ−ＦＡＣＨ、ＣＥＬＬ−ＰＣＨ、またはＵＲＡ−ＰＣＨ状態である場合、ＵＥはこれに向けられたページングメッセージをＭＢＭＳ専用周波数で受け取った後、セル再選択プロセスを通して標準周波数に再選択する。ここでは、セル再選択プロセスは、ＵＥおよびＵＴＲＡＮを伴うセル更新プロセスを含む。
３）ＵＥがＣＥＬＬ−ＤＣＨ状態である場合、ＵＴＲＡＮはコアネットワークからＵＥに向けられたページングメッセージを受け取った後、ＭＢＭＳ専用周波数から標準周波数にＵＥをリダイレクトするように、リダイレクトプロセスを開始する。ここでは、リダイレクトプロセスはＵＥおよびＵＴＲＡＮを伴うセルハンドオーバープロセスを含む。
４）上記３つのシナリオに加えて、ＵＥが非ＭＢＭＳサービスを確立することを要求する場合（非ＭＢＭＳサービスはＵＥから始まるか、またはＵＥで終了し得る）、ＭＢＭＳ専用周波数から標準周波数にＵＥをリダイレクトするように、ＵＴＲＡＮはリダイレクトプロセスを開始する。
【００７６】
図１０は一実施形態による上記方法を実施することのできるユーザ機器ＵＥのブロック図を示す。図１０に示すように、ＵＥ１０００は送受信モジュール１０２０および制御モジュール１０４０を備える。
【００７７】
送受信モジュール１０２０はＭＢＭＳ専用周波数または標準周波数で働き得る。
【００７８】
具体的には、制御モジュール１０４０が非ＭＢＭＳサービスがＵＥ１０００から始まると決定した場合、ＭＢＭＳ専用周波数から標準周波数に再選択して、標準周波数で非ＭＢＭＳサービスを確立および実行するように、制御モジュール１０４０は再選択プロセスを開始して非ＭＢＭＳサービスに適した周波数に再選択し得る。
【００７９】
制御モジュール１０４０がＵＥ１０００がＣＥＬＬ−ＦＡＣＨ、ＣＥＬＬ−ＰＣＨ、またはＵＲＡ−ＰＣＨ状態であることを知ると、送受信モジュール１０２０がＭＢＭＳ専用周波数でページングメッセージを受け取った後、制御モジュール１０４０はセル再選択プロセスを開始して、標準周波数に再選択する。ここでは、セル再選択プロセスはセル更新プロセスを含む。この後、送受信モジュール１０２０は標準周波数で働く。
【００８０】
送受信モジュール１０２０および制御モジュール１０４０は、ソフトウェア、ハードウェア、ファームウェア、および／またはソフトウェア、ハードウェアおよび／またはファームウェアの組合せであってもよい。
【００８１】
図１１は一実施形態による上記方法を実施することのできるネットワーク装置のブロック図を示す。図１１に示すように、ネットワーク装置１１００は送受信モジュール１１２０および制御モジュール１１４０を備える。
【００８２】
具体的には、送受信モジュール１１２０が非ＭＢＭＳサービス（非ＭＢＭＳサービスはＵＥから始まるか、またはＵＥで終了し得る）をＭＢＭＳ専用周波数で確立するというＵＥの要求を受け取る場合、制御モジュール１１４０は非ＭＢＭＳサービスを実行する必要があると決定し、非ＭＢＭＳサービスを標準周波数で確立および実行するように、リダイレクトプロセスを開始してＭＢＭＳ専用周波数から標準周波数にＵＥをリダイレクトする。
【００８３】
制御モジュール１１４０がＵＥがＣＥＬＬ−ＤＣＨ状態であることを知ると、送受信モジュール１１２０がＵＥに向けられたページングメッセージをコアネットワークから受け取った後、制御モジュール１１４０はリダイレクトプロセスを開始して、ＭＢＭＳ専用周波数から標準周波数にＵＥをリダイレクトする。ここでは、リダイレクトプロセスはセルハンドオーバープロセスを含む。
【００８４】
ネットワーク装置１１００はＲＮＣに含まれてもよい。
【００８５】
送受信モジュール１１２０および制御モジュール１１４０は、ソフトウェア、ハードウェア、ファームウェア、および／またはソフトウェア、ハードウェアおよび／またはファームウェアの組合せであってもよい。
【００８６】
本発明は、一例として非ＭＢＭＳサービスを支援しないＭＢＭＳサービス専用周波数に関して上記で説明されている。しかし、当業者であれば、本発明はそれに限定されるものではないことが理解することができる。専用周波数が支援しないサービスが、別の周波数でそのサービスを実行するように専用周波数で確立されるべきものである限り、本出願が適用可能である。上記シナリオはケーブルネットワークにおいて存在してもよいことを理解されたい。
【００８７】
概して、多数の他の修正および改変が本発明の概念および範囲から逸脱することなく行われてもよい。本発明は具体的な実施形態に限定されるものではなく、その範囲は特許請求の範囲によって定義されるものであることを理解されたい。
【図面の簡単な説明】
【００８８】
【図１】本発明を実施可能な通信ネットワークを示す図である。
【図２】一実施形態によるアイドルモードでＵＥから始まる呼を示す、典型的な呼確立フロー図である。
【図３】一実施形態に対応するアイドルモードでＵＥから始まる呼を示す、呼確立フロー図である。
【図４】一実施形態によるアイドルモードでＵＥで終了する呼を示す、典型的な呼確立フロー図である。
【図５】一実施形態に対応するアイドルモードでＵＥで終了する呼を示す、呼確立フロー図である。
【図６】別の実施形態によるアイドルモードでＵＥで終了する呼を示す、呼確立フロー図である。
【図７】別の実施形態に対応するアイドルモードでＵＥで終了する呼を示す、呼確立フロー図である。
【図８】一実施形態によるＭＢＭＳ専用周波数およびＣＥＬＬ−ＤＣＨ状態でＵＥで終了する非ＭＢＭＳサービスを示す、呼確立フロー図である。
【図９】一実施形態によるＭＢＭＳ専用周波数およびＣＥＬＬ−ＦＡＣＨ、ＣＥＬＬ−ＰＣＨ、またはＵＲＡ−ＰＣＨ状態でＵＥで終了する非ＭＢＭＳサービスを示す、呼確立フロー図である。
【図１０】一実施形態によるユーザ機器を示すブロック図である。
【図１１】一実施形態によるネットワーク装置を示すブロック図である。
【図１】
2009534959.tif 000003
【図２】
2009534959.tif 000004
【図３】
2009534959.tif 000005
【図４】
2009534959.tif 000006
【図５】
2009534959.tif 000007
【図６】
2009534959.tif 000008
【図７】
2009534959.tif 000009
【図８】
2009534959.tif 000010
【図９】
2009534959.tif 000011
【図１０】
2009534959.tif 000012
【図１１】
2009534959.tif 000013
【国際調査報告】
2009534959.tif 000014
2009534959.tif 000015
2009534959.tif 000016
2009534959.tif 000017